(57)【要約】【課題】外出する際や帰宅した際に行う作業を忘れにくくできたり、外出する際や帰宅した際に行う作業を容易にできるようにした機能を備えた機能部付き扉を提供することを目的とする。【解決手段】出入口に設けられた扉２の扉面３に、外出する際や帰宅した際に行う作業を促す機能部、又は、外出する際や帰宅した際に行う作業を補助する機能部を備えたことを特徴とする。外出する際や帰宅した際に行う作業を補助する機能部は、例えば、扉の扉面に設けられた椅子４であることを特徴とする。【選択図】図３
2016176188.tif 000002
【特許請求の範囲】
【請求項１】
出入口に設けられた扉の扉面に、外出する際や帰宅した際に行う作業を促す機能部、又は、外出する際や帰宅した際に行う作業を補助する機能部を備えたことを特徴とする機能部付き扉。
【請求項２】
外出する際や帰宅した際に行う作業を促す機能部は、洗濯物を干すために扉の扉面に設けられた物干し、扉の施錠鍵を収納するために扉の扉面に設けられた鍵収納部の１つ以上であることを特徴とする請求項１に記載の機能部付き扉。
【請求項３】
外出する際や帰宅した際に行う作業を補助する機能部は、扉の扉面に設けられた椅子であることを特徴とする請求項１に記載の機能部付き扉。
【請求項４】
椅子は、所定値以上の重量が加わった時に下面が床面に着き、所定値以上の重量が加わるまでは、下面が床面よりも浮くように、上下移動可能に構成されたことを特徴とする請求項３に記載の機能部付き扉。
【請求項５】
椅子は、ダンパー部材を介して扉面に取付けられたことにより、所定値以上の重量が加わった時に下面が床面に着き、所定値以上の重量が加わるまでは、下面が床面よりも浮くように構成されたことを特徴とする請求項４に記載の機能部付き扉。
【発明の詳細な説明】
【技術分野】
【０００１】
本発明は、外出する際や帰宅した際に行う作業の作業忘れ防止や作業容易化に貢献する機能部を備えた機能部付き扉に関する。
【背景技術】
【０００２】
扉枠の縦枠に、必要な装備品として、インターホン、訪問客チェック用のＴＶカメラ、カードリーダー又はテンキーボックス等の電気錠用解錠器、居住者表示の名札入れ、ルームナンバー表示札入れ、在室又は不在の表示器、郵便物や新聞を受けるためのポスト、牛乳入れ、出火表示灯、フック、呼び鈴等の何れか１つ或は２つ以上を組み付けた多機能扉システムが知られている（例えば特許文献１参照）。
【先行技術文献】
【特許文献】
【０００３】
【特許文献１】特開平７−２３３６７７号公報
【発明の概要】
【発明が解決しようとする課題】
【０００４】
出入口に設けられた扉を開閉して、人が室内から戸外に外出する際には、身嗜みのチェック、洗濯物の確認、靴を履く、戸締り確認等の作業を行い、又、人が戸外から室内に帰宅した際には、戸締り確認、靴を脱ぐ、洗濯物の確認等の作業を行うことが多い。
しかしながら、身嗜みのチェック、洗濯物の確認、戸締り確認等の作業を忘れることがある。また、靴を履いたり脱いだりする作業を立ったままで行う場合は、当該作業がやり難くく、靴を履いたり脱いだりする作業を玄関框等に座って行う場合は、座面が低すぎる場合が多く、当該作業がやり難いという面があった。
本発明は、外出する際や帰宅した際に行う作業を忘れにくくできたり、外出する際や帰宅した際に行う作業を容易にできるようにした機能部を備えた機能部付き扉を提供することを目的とする。
【課題を解決するための手段】
【０００５】
本発明に係る機能部付き扉は、出入口に設けられた扉の扉面に、外出する際や帰宅した際に行う作業を促す機能部、又は、外出する際や帰宅した際に行う作業を補助する機能部を備えたことを特徴とする。
外出する際や帰宅した際に行う作業を促す機能部は、洗濯物を干すために扉の扉面に設けられた物干し、扉の施錠鍵を収納するために扉の扉面に設けられた鍵収納部の１つ以上であることを特徴とする。
外出する際や帰宅した際に行う作業を補助する機能部は、扉の扉面に設けられた椅子であることを特徴とする。
椅子は、所定値以上の重量が加わった時に下面が床面に着き、所定値以上の重量が加わるまでは、下面が床面よりも浮くように、上下移動可能に構成されたことを特徴とする。
椅子は、ダンパー部材を介して扉面に取付けられたことにより、所定値以上の重量が加わった時に下面が床面に着き、所定値以上の重量が加わるまでは、下面が床面よりも浮くように構成されたことを特徴とする。
【発明の効果】
【０００６】
本発明に係る機能部付き扉によれば、出入口に設けられた扉の扉面に、外出する際や帰宅した際に行う作業を促す機能部、又は、外出する際や帰宅した際に行う作業を補助する機能部を備えているため、外出する際や帰宅した際に行う作業を忘れにくくできたり、外出する際や帰宅した際に行う作業を容易にできるようになる。
外出する際や帰宅した際に行う作業を促す機能部として、物干しを備えていれば、当該物干しに干されている洗濯物の取り込み忘れを抑制できるようになり、鍵収納部を備えていれば、戸締りの確認し忘れや鍵の紛失を抑制できるようになる。
外出する際や帰宅した際に行う作業を補助する機能部として、椅子を備えていれば、例えば、当該椅子に座って靴を履いたり脱いだりする作業を行えるため、靴を履いたり脱いだりする作業等が容易となる。
椅子は、所定値以上の重量が加わった時に下面が床面に着き、所定値以上の重量が加わるまでは、下面が床面よりも浮くように、上下移動可能に構成されているので、例えば、人が椅子の座面に着座して椅子に所定値以上の重量が加わった場合に椅子が下方に移動して椅子の下面が床面に着く一方、人が椅子の座面から立ち上がって椅子に所定値以上の重量が加わらなくなった場合に、椅子の下面が床面から離れるため、椅子の下面と床面との接触によって扉の開閉動作が妨げられるようなことがなくなり、扉の開閉動作をスムーズに行える。
椅子は、ダンパー部材を介して扉面に取付けられているので、椅子に所定値以上の重量が加わって椅子の下面が床面に着いた状態から椅子に所定値以上の重量が加わらなくなって椅子の下面が床面から離れる際に、ダンパー部材のダンパー機能により、椅子がゆっくりと上方に移動するため、椅子に所定値以上の重量が加わらなくなった直後の椅子の座面の急激な位置変化を抑制できて、椅子の上動（突き上げ）に基づく衝撃を受けにくい安全な椅子を提供できる。
【図面の簡単な説明】
【０００７】
【図１】機能部付き扉としての椅子付き扉の分解斜視図。
【図２】椅子付き扉の椅子の分解斜視図。
【図３】椅子付き扉を示す斜視図。
【図４】椅子付き扉の椅子の蓋部を外した状態を上方から見た図。
【図５】椅子の上下移動状態を示す図。
【発明を実施するための形態】
【０００８】
実施形態１
図３に示すように、実施形態１の機能部付き扉としての椅子付き扉１は、出入口に設けられた扉２の扉面３に、外出する際や帰宅した際に行う作業を補助する機能部としての上下移動可動な椅子４が取付けられた構成である。即ち、椅子付き扉１は、扉２と、上下方向Ａに移動可能なように支持手段を介して扉２の扉面３に取付けられた上下可動式の椅子４とを備えた構成である。
【０００９】
椅子４は、所定値以上の重量が加わった時に下方に移動して下面５が床面６に着き、所定値以上の重量が加わるまでは、下面５が床面６に着かないように（床面６から浮いた状態となるように）構成されている。尚、椅子４は、床面６から浮いた状態で座面１１ａが扉２の図外のノブよりも下方に位置されるように扉面３に取付けられる。
【００１０】
図１に示すように、椅子４は、上部開口の有底箱状に形成された胴体部１０と、上部開口９を塞ぐとともに座面１１ａを形成する蓋部１１とを備えて構成される。
胴体部１０は、底板１２と前側板１３と裏板１４とが組み合わされて、底板１２と前側板１３と裏板１４とで囲まれた上部開口９の収容部となる中空空間１５を有した形状に構成される。尚、図では前側板１３として前側が湾曲した形状のものを図示しているが、前側板１３の形状は特に限定されない。
【００１１】
支持手段は、椅子４を上下移動可能に支持するためのダンパー機能付き支持部材としての例えばガススプリング１６と、ガススプリング１６の一端側（上端側）を椅子４の裏板１４に取付けるための椅子側取付手段と、ガススプリング１６の他端側（下端側）を扉面３に取付けるための扉側取付手段と、を備えて構成される。
【００１２】
ガススプリング１６は、例えば、ロッド１７の一端側に設けられた図外のピストンがシリンダ１８の内壁を摺動可能なようにロッド１７の他端側がシリンダ１８の他端側に設けられた図外のロッドガイド及びシール部材を介してシリンダ１８の外に突出するように構成され、シリンダ１８内には圧縮ガス及びオイルが充填されてシール部材でシールされている。シリンダ１８内はピストンによって区画され、ピストンには、ピストンによって区画された２つの室を連通させる連通孔（オリフィス）が形成されている。
【００１３】
当該ガススプリング１６には、通常、ピストンが受けている圧力により、ガススプリング１６が伸長する方向の反発力が働いている。従って、ガススプリング１６に当該反発力よりも大きい力が加わった場合にガススプリング１６は圧縮する（縮む）構成である。
即ち、ガススプリング１６により支持された椅子４は、ガススプリング１６に設定された反発力によって下面５が床面６から浮くように付勢され、椅子４を介してガススプリング１６に反発力よりも大きい所定値以上の重量が加わった場合にガススプリング１６が縮むことにより、椅子４の下面５が床面６に着くように構成されている。
【００１４】
また、ガススプリング１６は、圧縮された状態から伸長する際にオイルによって変位速度が抑制されるダンパー機能を備えている。
【００１５】
椅子側取付手段は、ガススプリング１６の一端側であるシリンダ１８の一端側取付部１９を裏板１４に取付けるためのブラケット２０を備え、シリンダ１８の一端側取付部１９がボルト２１及びナット２２等の固定手段によってブラケット２０に取付けられるとともに、ブラケット２０がボルト２３及びナット２４等の固定手段によって裏板１４に取付けられて構成される。
【００１６】
扉側取付手段は、取付ねじ２５等の固定手段によって扉面３に取付けられる扉側取付板２６と、ガススプリング１６の他端側であるロッド１７の他端側取付部２７を扉側取付板２６に取付けるためのブラケット２８とを備え、ロッド１７の他端側取付部２７がボルト２９及びナット２９ａ等の固定手段によってブラケット２８に取付けられるとともに、ブラケット２８がボルト３０等の固定手段によって扉側取付板２６及び扉面３に取付けられて構成される。
【００１７】
図１；図２；図４に示すように、扉側取付板２６は、例えば、裏面３１が扉面３と接触するように取り付けられる矩形状の基板３２と、基板３２の左右の長辺縁より裏面３１とは反対側（扉面３より離れる方向）に延長するように設けられた左右の立ち上がり片３３；３３と、各立ち上がり片３３；３３の先端縁側より互いに離れる方向に延長するように設けられて扉面３と対向して後述する裏板１４の左右に形成された左右の係合片３７；３７の前方への移動を規制する左右の前規制片３４；３４と、前規制片３４；３４の先端縁より裏面３１とは反対側に延長するように設けられて左右の係合片３７；３７の左右方向への移動を規制する左右の横規制片３５；３５と、を備えた構成である。
従って、基板３２の裏面３１が扉面３と接触するよう基板３２が扉面３に取付けられた場合に、左の前規制片３４と扉面３との間、及び、右の前規制片３４と扉面３との間には、それぞれ係合溝３６を形成する空間が形成され、裏板１４の左右に形成された係合片３７；３７が当該左右の係合溝３６；３６に係合し、椅子４が係合溝３６；３６の上下方向に沿って移動可能なように構成される。
【００１８】
裏板１４は、扉側取付板２６に対応した大きさに形成された矩形状の基板３８と、基板３８の左右の長辺縁より前面とは反対側（扉面３側）に立ち上がる左右の立ち上がり片３９；３９と、各立ち上がり片３９；３９の先端縁より互いに近付く方向に延長する各対向片４０；４０と、各対向片４０；４０の先端から互いに離れる方向に折り返された各折り返し片４１；４１とを備えた構成である。
左の折り返し片４１は、左の対向片４０と重なって左の係合片３７を形成する折り返し端側部分４２と、左の対向片４０を超えて左方向に延長して前側板１３の左側裏面４３と接触して当該左側裏面４３にねじ４４等の固定手段で固定される取付部４５とを備える。
右の折り返し片４１は、右の対向片４０と重なって右の係合片３７を形成する折り返し端側部分４２と、右の対向片４０を超えて右方向に延長して前側板の右側裏面４６と接触して当該右側裏面４６にねじ４４等の固定手段で固定される取付部４７とを備える。
【００１９】
従って、例えば、ガススプリング１６の他端側がブラケット２８を介して取り付けられた扉側取付板２６を扉面３に取付けた後、椅子４の裏板１４に設けられた左右の係合片３７；３７を左右の係合溝３６；３６に上から挿入して、ガススプリング１６の一端側がブラケット２０を介して椅子４の裏板１４に取付けられることによって、ガススプリング１６の中心軸が垂直方向に延長するように設けられて、椅子４が垂直方向に沿って上下移動可能となった椅子付き扉１が構成される。
【００２０】
以上のように構成された椅子付き扉１は、例えば、座面１１ａに人が着座して椅子４に所定値以上の重量が加わった場合に、図５（ｂ）に示すように、椅子４が下方に移動して椅子４の下面５が床面６に着く一方で、人が椅子４の座面１１ａから立ち上がって椅子４に重量が加わらなくなった場合に、図５（ａ）に示すように、椅子４がガススプリング１６の反発力を受けて上方に移動し、椅子４の下面５が床面６から所定距離Ｈだけ離れる（浮く）ため、椅子４の下面５と床面６との接触によって扉２の開閉動作が妨げられるようなことがなくなり、扉２の開閉動作をスムーズに行えるようになる。
【００２１】
例えば、玄関扉の扉面３に椅子４を取り付けた椅子付き扉とすれば、外出時に靴を履く場合に、座面１１ａに腰掛けて靴を履くことができるようになり、また、帰宅した場合に、座面１１ａに腰掛けて靴を脱ぐことができるようになるので、靴を履いた脱いだりする作業が容易となる。
【００２２】
また、椅子４の下面５が床面６から離れる際に、ガススプリング１６のダンパー機能により、椅子４がゆっくりと上方に移動するため、椅子４に所定値以上の重量が加わらなくなった直後の椅子４の座面１１ａの急激な位置変化を抑制できて、椅子４の急激な上動（突き上げ）に基づく衝撃を受けにくくなるので、安全な椅子４を提供できる。例えば、子供が座った後に立ち上がる際に急激な反発力を受けるようなことを防止できる。
尚、椅子４を支持する支持手段は、ガススプリング１６に限らず、いわゆるダンパー機能を有するダンパー部材であればよい。当該ダンパー部材は、上方と下方の両方にゆっくりと移動できる機能を有することが好ましいが、使用上支障がなければ、上方か下方のいずれか一方のみにゆっくりと移動できる機能を有する、いわゆるワンウェイのダンパー部材であってもよい。
【００２３】
また、椅子４は、上部開口９の中空空間１５により形成された収容部を備えるため、当該収容部に例えば防災用具等を収容しておけば、災害時において避難する場合に、防災用具を確保できるようになる。
【００２４】
また、図５に示すように、椅子４の下面にゴム板等の衝撃緩和板５０を取り付けて椅子４の下面５を形成すれば、椅子４が床面６に着く際の衝撃を緩和できて好ましい。
【００２５】
また、椅子４を支持する支持手段として、ガススプリング１６の代わりにコイルバネ等の弾性手段を用い、所定値以上の重量が加わった時に弾性手段が撓んで椅子４の下面５が床面６に着き、所定値以上の重量が加わるまでは、弾性手段の弾性反力によって椅子４の下面５が床面６よりも浮くように構成された椅子付き扉としてもよい。
【００２６】
尚、上下可動式の椅子４を備えた椅子付き扉１における所定値は、適切に設定すればよい。例えば、人の体重を考慮して、所定値を３０Ｋｇ程度に設定することにより、座面１１ａに座った場合に確実に着地し、軽い荷物などでは着地しないようにすることが考えられる。
【００２７】
尚、椅子４の下面５が床面６よりも浮いた状態となるように椅子４を扉面３に固定した構成の椅子付き扉としてもよい。
【００２８】
実施形態２
扉の扉面に、外出する際や帰宅した際に行う作業を促す機能部としての物干しが設けられた物干し扉としてもよい。当該物干し扉によれば、外出する際や帰宅した際に行う作業である、物干しに干されている洗濯物の取り込み作業を忘れてしまうことを抑制できるようになる。尚、物干しは、扉のノブよりも上方に位置されるように扉面３に取付けられることが好ましい。
【００２９】
実施形態３
扉の扉面に、外出する際や帰宅した際に行う作業を促す機能部としての鍵収納部が設けられた鍵収納部付き扉としてもよい。当該鍵収納部付き扉によれば、外出する際や帰宅した際に行う作業である、戸締り確認作業を忘れてしまうことを抑制できるようになり、また、鍵の紛失を抑制できるようになる。尚、鍵収納は、扉のノブよりも上方に位置されるように扉面３に取付けられることが好ましい。
【００３０】
実施形態４
扉の扉面に、外出する際や帰宅した際に行う作業を促す機能部としてのミラーが設けられたミラー付き扉としてもよい。ミラーは、例えば、所望の形（例えば人の形）に形成された鏡面板により形成され、当該鏡面板の裏面を扉の扉面に貼り付けることによりミラー付き扉を構成すればよい。当該ミラー付き扉によれば、外出する際に行う作業である、身嗜みチェック作業を忘れてしまうことを抑制できるようになる。
【００３１】
また、上述したように、扉の扉面に、機能部である、椅子、物干し、鍵収納部、ミラー等が設けられた機能部付き扉とすることで、外出する際や帰宅した際に行う作業を扉の近くで行うことができるようになり、機能部が壁側に設けられている場合のように、いちいち壁側に移動して作業しなくてはならない場合と比べて、作業をスムーズに行えるようになる。
【００３２】
尚、本発明において、上述した機能部である、椅子、物干し、鍵収納部、ミラーを取り付ける扉２は、建物から建物外への出入口に設けられた玄関扉等の扉、建物内の出入口に設けられた扉のいずれであってもよい。
【００３３】
また、上述した各機能部は、本来扉に備えられているべきノブや鍵等の部材とは干渉せず、これらを避けた位置に設けられている。また、機能部は、作業（椅子に腰かけたり、物品を入れたり置いたりする等）をし易くするために、扉面からの突出長さがノブや鍵等よりも長い寸法に形成されていることが好ましい。
尚、機能部を備えた扉面側に扉を開く際に、開き方向に壁等の障害物がある場合には、機能部が当該障害物に当接するおそれがある。この当接の結果、人の出入りが妨げられるほど開口部が狭いと不都合であるため、機能部の扉面からの突出寸法は、人が出入りに差支えない限度に設定されている。このような目的のために、扉の開き角度が略４５度になっても機能部が壁等の障害物に当接しないように構成されていることが好ましく、より好ましくは、扉の開き角度が略６０度になっても機能部が壁等の障害物に当接しないように構成されていることが望ましい。
また、人の出入りに邪魔にならないように、機能部が扉面内の範囲に設けられている（機能部が扉面の側縁より外側に突出しない）等、扉が開いたとき機能部が開口部側に突出するのを避けた構成になっていることが好ましい。
また、機能部を備える扉は、開き扉（戸）であることが好ましいが、例えば戸袋が無い等、機能部が開閉の妨げにならない構成にできれば引き戸の扉であってもよい。
【符号の説明】
【００３４】
１  椅子付き扉（機能部付き扉）、２  扉、３  扉面、４  椅子（機能部）、
５  椅子の下面、６  床面、１６  ガススプリング。
【図１】
2016176188.tif 000003
【図２】
2016176188.tif 000004
【図３】
2016176188.tif 000005
【図４】
2016176188.tif 000006
【図５】
2016176188.tif 000007